(57)【要約】【課題】形状が異なる複数種類のアダプタを取付けるための復数種類の形状の取付孔を備えるとともに、小型化したアダプタ取付部材を提供する。  【解決手段】取付パネル８に、光ファイバコードのコネクタを接続するための、復数形状のアダプタを取付け可能とした取付孔を形成したアダプタ取付部材５であって、前記取付孔は、第１アダプタを取付け可能とした第１取付孔１１と、第１アダプタと異なる形状の第２アダプタを取付け可能とした第２取付孔１２とを備え、第１取付孔１１と第２取付孔１２とを重複させた。【選択図】図４
2015102780.tif 000002
【特許請求の範囲】
【請求項１】
取付パネルに、光ファイバコードのコネクタを接続するための、復数形状のアダプタを取付け可能とした取付孔を形成したアダプタ取付部材であって、
前記取付孔は、第１アダプタを取付け可能とした第１取付孔と、該第１アダプタと異なる形状の第２アダプタを取付け可能とした第２取付孔とからなり、前記第１取付孔と前記第２取付孔とを重複させたことを特徴とするアダプタ取付部材。
【請求項２】
前記第１取付孔と前記第２取付孔は、高さ方向と幅方向に各々ずらして形成されたことを特徴とする請求項１記載のアダプタ取付部材。
【請求項３】
機器取り付け面に対して垂直に設けられる前記取付パネルの上下端部から、前記機器取付け面に対して平行となる方向に折り曲げ形成した折り曲げ辺を、各々反対となる方向に突出させて略クランク状とするとともに、該折り曲げ辺を前記機器取付け面に固定するための固定辺としたことを特徴とする請求項２記載のアダプタ取付部材。
【請求項４】
前記アダプタは前記取付孔に係止するアダプタ保持具を有し、前記アダプタの前記取付孔への取付位置において、前記折り曲げ辺を前記アダプタ保持具または前記アダプタと重複する高さ位置に形成したことを特徴とする請求項３記載のアダプタ取付部材。
【発明の詳細な説明】
【技術分野】
【０００１】
本発明は、光ファイバコードのコネクタが接続されるアダプタを取付けるための、アダプタ取付部材に関するものである。
【背景技術】
【０００２】
光ファイバコードのコネクタを接続するためのアダプタは、例えば特許文献１及び２に示すように、アダプタ保持具を介して、アダプタ取付部材に形成された取付孔に係止されて保持される。しかしながら、光ファイバコードのコネクタは用途によって大小様々な種類があり、その形状が異なることから、アダプタ取付部材には複数種類の形状の取付孔を形成しておくことが望ましい。
【０００３】
しかしながら、アダプタ取付部材に複数種類の形状の取付孔を形成する際には、特許文献１のように１段で形成すると幅方向にサイズが拡大してしまい、また特許文献２のように２段で形成した場合、高さ方向にサイズが拡大してしまうことから、大型化したアダプタ取付部材により、光接続箱の内部空間が圧迫される問題がある。
【先行技術文献】
【特許文献】
【０００４】
【特許文献１】特開２００９−１３９８０２号公報
【特許文献２】特開２０１２−２２６２６７号公報
【発明の概要】
【発明が解決しようとする課題】
【０００５】
本発明の目的は前記した従来の問題点を解決し、形状が異なる複数種類のアダプタを取付けるための復数種類の形状の取付孔を備えるとともに、小型化したアダプタ取付部材を提供することである。
【課題を解決するための手段】
【０００６】
上記課題を解決するためになされた本発明は、取付パネルに、光ファイバコードのコネクタを接続するための、復数形状のアダプタを取付け可能とした取付孔を形成したアダプタ取付部材であって、前記取付孔は、第１アダプタを取付け可能とした第１取付孔と、該第１アダプタと異なる形状の第２アダプタを取付け可能とした第２取付孔とからなり、前記第１取付孔と前記第２取付孔とを重複させたことを特徴とするものである。
【０００７】
請求項２記載の発明は、請求項１記載のアダプタ取付部材において、前記第１取付孔と前記第２取付孔は、高さ方向と幅方向に各々ずらして形成されたことを特徴とするものである。
【０００８】
請求項３記載の発明は、請求項２記載のアダプタ取付部材において、機器取り付け面に対して垂直に設けられる前記取付パネルの上下端部から、前記機器取付け面に対して平行となる方向に折り曲げ形成した折り曲げ辺を、各々反対となる方向に突出させて略クランク状とするとともに、該折り曲げ辺を前記機器取付け面に固定するための固定辺としたことを特徴とするものである。
【０００９】
請求項４記載の発明は、請求項３記載のアダプタ取付部材において、前記アダプタは前記取付孔に係止するアダプタ保持具を有し、前記アダプタの前記取付孔への取付位置において、前記折り曲げ辺を前記アダプタ保持具または前記アダプタと重複する高さ位置に形成したことを特徴とするものである。
【発明の効果】
【００１０】
本発明に係るアダプタ取付部材は、取付パネルに復数形状のアダプタを取付け可能とした取付孔を形成したものであって、この取付孔は、第１アダプタを取付け可能とした第１取付孔と、この第１アダプタと異なる形状の第２アダプタを取付け可能とした第２取付孔とを備えるものとし、第１取付孔と第２取付孔とを重複させたものである。これにより、アダプタ取付部材の高さ方向と幅方向の長さを小さくすることができ、アダプタ取付部材を小型化することが可能となり、光接続箱の内部空間を圧迫することもない。
【００１１】
請求項２に係る発明は、請求項１記載のアダプタ取付部材において、第１取付孔と第２取付孔は、高さ方向と幅方向に各々ずらして形成されたものである。例えば同一幅の第１取付孔と第２取付孔とを、高さ方向のみずらして配置した場合には、アダプタを取付けた際に、上下方向へのアダプタの移動を規制することができないが、請求項２記載の構成によれば、各々のアダプタを取付けた際に、このアダプタを保持する規制部が形成されることとなり、上下方向へのアダプタの移動を規制することが可能となる。
【００１２】
請求項３に係る発明は、請求項２記載のアダプタ取付部材において、機器取り付け面に対して垂直に設けられる取付パネルの上下端部から、機器取付け面に対して平行となる方向に折り曲げ辺を形成し、各々反対となる方向に突出させて略クランク状とするとともに、この折り曲げ辺を機器取付け面に固定するための固定辺としたものである。これにより、形状の異なるアダプタに変更した際には、アダプタ取付部材を上下に反転させて使用することにより、アダプタの高さ位置を変更することができる。
【００１３】
請求項４に係る発明は、請求項３記載のアダプタ取付部材において、アダプタは取付孔に係止するアダプタ保持具を有し、アダプタの取付孔への取付位置において、折り曲げ辺をアダプタ保持具またはアダプタと重複する高さ位置に形成したため、折り曲げ辺と反対側の面側からのみアダプタを挿入することが可能となるため、アダプタの取付方向の間違いを防止することができる。
【図面の簡単な説明】
【００１４】
【図１】光接続箱内部の第２配線仕切板の閉状態を示す斜視図である。
【図２】光接続箱内部の第２配線仕切板の開状態を示す斜視図である。
【図３】光接続箱の断面図である。
【図４】本実施形態のアダプタ取付部材の斜視図である。
【図５】本実施形態のアダプタ取付部材の正面図である。
【図６】第１アダプタ取付時を示す斜視図である。
【図７】第１アダプタ取付時を示す正面図及び側面図である。
【図８】第１アダプタ取付前を示す斜視図である。
【図９】第２アダプタ取付時を示す斜視図である。
【図１０】第２アダプタ取付時を示す正面図及び側面図である。
【図１１】第２アダプタ取付前を示す斜視図である。
【図１２】第１アダプタの下部空間を配線収納空間とした状態を示す斜視図である。
【発明を実施するための形態】
【００１５】
以下に本発明の好ましい実施形態を示す。
図１乃至図３のように、光接続箱１の内部は第１配線仕切板２と、第２配線仕切板３とによって３段に区画されている。底面に近い１段目には、人が操作する可能性の低いパーツを配置し、２段目、及び３段目には比較的人が操作する可能性の高いパーツを配置するものとしている。１段目には、図示しない光ファイバコードを入線するための光ファイバ接続部と、光ファイバコードの余長部を収納する余長トレー４とが配置されている。更に、この余長トレー４に隣接して、光ファイバコードのコネクタが接続されるアダプタを取付け、保持するためのアダプタ取付部材５が設けられている。余長トレー４の上方には第１配線仕切板２が回動自在に枢着されており、２段目にあたる位置にはメディアコンバータ６が搭載されている。更に上方には、第２配線仕切板３が光接続箱本体に回動自在に枢着されており、３段目にあたる位置には、図１のように通信機器に接続されるハブやルータ等の電子電気機器７が搭載されている。
【００１６】
本実施形態のアダプタ取付部材５は、図４に示すように、機器取付け面である底面に対して垂直に形成された取付パネル８に、光ファイバコードのコネクタを接続するための、復数形状のアダプタを取付け可能とした取付孔を形成したものである。前記取付孔は、図６のように第１アダプタ９を取付け可能とした第１取付孔１１と、図９のように第１アダプタ９と異なる形状の第２アダプタ１０を取付け可能とした第２取付孔１２とからなるものである。更に図５のように、第１取付孔１１と第２取付孔１２とが重複する重複空間１３を形成するものとした。これにより、前記重複空間１３の分だけアダプタ取付部材５の高さ方向と幅方向の長さを小さくすることができ、詳しくは、第１取付孔１１及び第２取付孔１２を1段に形成するより幅方向を縮小することが可能で、第１取付孔１１及び第２取付孔１２を２段に形成するよりも高さ方向を縮小することができ、アダプタ取付部材５を小型化することが可能となり、光接続箱１の内部空間を圧迫することがなくなる。
【００１７】
第１取付孔１１と第２取付孔１２は、図５のように、高さ方向と幅方向に各々ずらして形成するものとした。これにより、図６のように第１アダプタ９を第１取付孔１１に取付けた際には規制部１４が第１アダプタ９の下端部と当接することによって、第１アダプタ９の上下方向の移動を規制することが可能となる。同様に、第２アダプタ９を取り付けた場合でも規制部１４により第２アダプタ９の上下方向の移動を規制することが可能となる。
【００１８】
図４に示すように、取付パネル８の上下端部からは、底面に対して平行となる方向に折り曲げ形成した折り曲げ辺１５を、各々反対となる方向に、略クランク状となるよう突出させるものとした。また、この折り曲げ辺１５は機器取り付け面に固定される固定辺とし、固定辺となる折り曲げ辺１５に形成した固定孔１６を用いて、アダプタ取付部材５を光接続箱本体に固定するものとした。これにより、例えば図６乃至図８のように使用していた第１アダプタを第２アダプタに変更する際には、アダプタ取付部材５を上下に反転させて、図９のように第２アダプタ１０を第２取付孔１２に取付けて使用することができる。また、このようにアダプタ取付部材５を上下に反転させて使用できることから、第１アダプタ９及び第２アダプタ１０の高さ位置を使用状況に応じて任意に変更することもできる。なお、折り曲げ辺１５をコ字状とするものでも良いが、その場合は、ねじ固定する際には上方の折り曲げ辺１５が邪魔になり工具が入らず作業性が悪いといった問題点が生じるが、クランク状に形成することにより工具挿入の作業性を改善することが可能である。
【００１９】
図８及び図１１に示すように、第１アダプタ９と第２アダプタ１０は、アダプタ取付部材５の第１取付孔１１又は第２取付孔１２に取付するアダプタ保持具１７を各々有する。アダプタ保持具１７は、取付孔の開口周縁に係止される弾性片からなる係止片１７ｂと、取付孔より脱落を防止するため取付孔よりも上下左右に幅広に形成した幅広部１７ａとを有する。
【００２０】
ここで、図７及び図１０に示すように、アダプタ取付部材５の折り曲げ辺１５は、第１取付孔１１及び第２取付孔１２の上部または下部位置に形成され、更に、第１アダプタ９または第２アダプタ１０の第１取付孔１１または第２取付孔１２への取付位置において、折り曲げ辺１５はアダプタ保持具１７の幅広部１７ａと重複する高さ位置に形成されている。即ち、第１アダプタ９及び第２アダプタ１０は折り曲げ辺１５を形成した反対側の面からのみ挿入可能とし、折り曲げ辺１５側から挿入した場合には幅広部１７ａが折り曲げ辺１５に当接し挿入できないようになっている。このため、第１アダプタ９及び第２アダプタ１０の取付方向の間違いを防ぐことができる。更に、本実施形態の折り曲げ辺１５はクランク状に形成されているため、第１アダプタ９及び第２アダプタ１０は異なる面側から挿入するよう規制することが可能である。
【００２１】
なお、図７及び図８の第１アダプタ９は、光ファイバコードの光ファイバ接続部９ｂの上下端部に、ねじ孔を有する取付片９ａが形成されたものである。この場合、第１アダプタ９の第１取付孔１１への取付位置において、光ファイバ接続部９ｂが第１取付孔１１へ挿入され、取付片９ａが第１取付孔１１よりも上下外側に形成され、取付片９ａが折り曲げ辺１５と重複する位置に形成されるものである。また、折り曲げ辺１５側から第１アダプタ９を挿入しようとした場合、アダプタ保持具１７ではなく第１アダプタ９が折り曲げ辺１５に当接し挿入できないようにするものであっても良い。
【００２２】
なお、本実施形態においては、第１アダプタ９及び第２アダプタ１０を、第１取付孔１１及び第２取付孔１２に各々係止して保持するためのアダプタ保持具１７を用いるものとしたが、これに限定されず、例えばアダプタ保持具１７を設けず、ネジ止めによりアダプタを取付孔に取付ける構造としてもよい。
【００２３】
本実施形態においては、図１乃至図３のように、２段目に配置したメディアコンバータ６へ入線、またはメディアコンバータ６から出線される光ファイバコードのコネクタの接続が行い易いよう、第１取付孔１１が上部に来るようにアダプタ取付部材５を配置し、第１アダプタ９がメディアコンバータ６と平行となる位置に取付けられるものとした。これにより、図１２のように第１アダプタ９の下方位置に形成される下部空間を、配線収納空間や仕切りとして利用することにより、光接続箱１の内部スペースを有効に利用することもできる。
【符号の説明】
【００２４】
１  光接続箱
２  第１配線仕切板
３  第２配線仕切板
４  余長トレー
５  アダプタ取付部材
６  メディアコンバータ
７  電子電気機器
８  取付パネル
９  第１アダプタ
９ａ  取付片
９ｂ  光ファイバ接続部
１０  第２アダプタ
１１  第１取付孔
１２  第２取付孔
１３  重複空間
１４  規制部
１５  折り曲げ辺
１６  固定孔
１７  アダプタ保持具
１７ａ  幅広部
１７ｂ  係止片
１８  コンセント
【図１】
2015102780.tif 000003
【図２】
2015102780.tif 000004
【図３】
2015102780.tif 000005
【図４】
2015102780.tif 000006
【図５】
2015102780.tif 000007
【図６】
2015102780.tif 000008
【図７】
2015102780.tif 000009
【図８】
2015102780.tif 000010
【図９】
2015102780.tif 000011
【図１０】
2015102780.tif 000012
【図１１】
2015102780.tif 000013
【図１２】
2015102780.tif 000014